(57)【要約】      （修正有）【課題】ラックの使用状況を把握することができる医療機器管理装置を提供する。【解決手段】医療機器７に付与されたＩＣタグ５またはバーコード６から取得された該医療機器の個体情報４と、該医療機器７が複数載置されたラック８に付与されたＩＣタグ２またはバーコード３から読み出された該ラック８の個体情報１とを取得する取得手段９と、前記医療機器の個体情報４と前記ラックの個体情報１とを関係付けて格納するラック−医療機器関係情報格納手段１０と、を備える医療機器管理装置により、上記課題の解決を図る。【選択図】図１
2009077968.tif 000002
【特許請求の範囲】
【請求項１】
医療機器に付与されたＩＣタグまたはバーコードから取得された該医療機器の個体情報と、該医療機器が複数搭載されたラックに付与されたＩＣタグまたはバーコードから読み出された該ラックの個体情報と、を取得する取得手段と、
前記医療機器の個体情報と前記ラックの個体情報とを関係付けて格納するラック−医療機器関係情報格納手段と、
を備えることを特徴とする医療機器管理装置。
【請求項２】
前記医療機器管理装置は、さらに、
前記医療機器の個体情報と関係付けられた前記ラックの個体情報に対して、該ラックの使用に関する情報を格納する使用ラック情報格納手段
を備えることを特徴とする請求項１に記載の医療機器管理装置。
【請求項３】
外部装置と通信可能な医療機器管理用端末装置であって、
医療機器に付与されたＩＣタグまたはバーコードから該医療機器の個体情報を読み取り、該医療機器が複数搭載されたラックに付与されたＩＣタグまたはバーコードから該ラックの個体情報を読み取る読取手段と、
前記ラックの個体情報と、該ラックに搭載された医療機器の個体情報とを登録する搭載機器登録手段と、
前記搭載機器登録手段により登録されたラックの使用に関する情報を登録する使用ラック登録手段と、
を備えることを特徴とする医療機器管理用端末装置。
【発明の詳細な説明】
【技術分野】
【０００１】
本発明は、医療機器及び医療用ラックの管理に関する。
【背景技術】
【０００２】
内視鏡スコープを用いて内視鏡検査あるいは治療処置を行う場合には、内視鏡装置、光源装置、気腹装置等の医療機器を用いる必要がある。このような医療機器は、医療用ラック（または、医療用トロリーという。以下、医療用ラックを単に「ラック」と称する）と呼ばれる台車に搭載した状態で手術に使用される。手術に応じて使用される医療機器は異なるため、様々な内視鏡機器を組み合わせて搭載した状態のラックが用意されている。したがって、手術に際しては必要な機材が載ったラックを選択し準備しないと、手術を適切に行うことができない。
【０００３】
なお、本特許出願の明細書に記載された発明に関係する従来例として、特許文献1及び特許文献２がある。
【特許文献１】特開２００６−０４２０４３号公報
【特許文献２】特開２００６−１６８９４３号公報
【発明の開示】
【発明が解決しようとする課題】
【０００４】
上述のように、手術に際しては必要な医療機器を搭載したラックを準備する必要がある。しかしながら、従来はそれぞれのラックの使用回数が把握できていなかったために、ラックの使用頻度に偏りがあった。その結果、よく使われるラックに故障が生じ易いなど問題点があった。
【０００５】
上記課題に鑑み、本発明では、ラックの使用状況を把握することができる医療機器管理装置を提供する。
【課題を解決するための手段】
【０００６】
本発明にかかる医療機器管理装置は、医療機器に付与されたＩＣタグまたはバーコードから取得された該医療機器の個体情報と、該医療機器が複数搭載されたラックに付与されたＩＣタグまたはバーコードから読み出された該ラックの個体情報と、を取得する取得手段と、前記医療機器の個体情報と前記ラックの個体情報とを関係付けて格納するラック−医療機器関係情報格納手段と、を備えることを特徴とする。
【０００７】
前記医療機器管理装置は、さらに、前記医療機器の個体情報と関係付けられた前記ラックの個体情報に対して、該ラックの使用に関する情報を格納する使用ラック情報格納手段を備えることを特徴とする。
【０００８】
また、本発明にかかる外部装置と通信可能な医療機器管理用端末装置は、医療機器に付与されたＩＣタグまたはバーコードから該医療機器の個体情報を読み取り、該医療機器が複数搭載されたラックに付与されたＩＣタグまたはバーコードから該ラックの個体情報を読み取る読取手段と、前記ラックの個体情報と、該ラックに搭載された医療機器の個体情報とを登録する搭載機器登録手段と、前記搭載機器登録手段により登録されたラックの使用に関する情報を登録する使用ラック登録手段と、を備えることを特徴とする。
【発明の効果】
【０００９】
本発明によれば、ラックの使用状況を把握することができる。
【発明を実施するための最良の形態】
【００１０】
本発明にかかる医療機器管理装置は、取得手段と、ラック−医療機器関係情報格納手段とを備える。
取得手段は、医療機器に付与されたＩＣタグまたはバーコードから取得された該医療機器の個体情報と、該医療機器が複数搭載されたラックに付与されたＩＣタグまたはバーコードから読み出された該ラックの個体情報と、を取得する。取得手段は、例えば本発明の実施形態で言えば、ＮＩＣ１６に相当する。
【００１１】
ラック−医療機器関係情報格納手段は、前記医療機器の個体情報と前記ラックの個体情報とを関係付けて格納する。ラック−医療機器関係情報格納手段は、例えば本発明の実施形態で言えば、ラック−医療機器関連テーブルＴ２に相当する。
【００１２】
このように構成することにより、各ラックと、そのラックに搭載されている医療機器を関係付けることができる。
前記医療機器管理装置は、さらに、使用ラック情報格納手段を備える。使用ラック情報格納手段は、前記医療機器の個体情報と関係付けられた前記ラックの個体情報に対して、該ラックの使用に関する情報を格納する。使用ラック情報格納手段は、例えば本発明の実施形態で言えば、使用ラック登録テーブルＴ３に相当する。
【００１３】
このように構成することにより、各手術で使用されたラックを特定することができる。よって、ラックの使用状況を把握することができる。
外部装置と通信可能な医療機器管理用端末装置は、読取手段と、搭載機器登録手段と、使用ラック登録手段とを備える。医療機器管理用端末装置は、例えば本発明の実施形態で言えば、読取装置９に相当する。
【００１４】
読取手段は、医療機器に付与されたＩＣタグまたはバーコードから該医療機器の個体情報を読み取り、該医療機器が複数搭載されたラックに付与されたＩＣタグまたはバーコードから該ラックの個体情報を読み取る。読取手段は、例えば本発明の実施形態で言えば、識別コードリーダ３６に相当する。
【００１５】
搭載機器登録手段は、前記ラックの個体情報と、該ラックに搭載された医療機器の個体情報とを登録する。搭載機器登録手段は、例えば本発明の実施形態で言えば、搭載機器登録画面４０に相当する。
【００１６】
使用ラック登録手段は、前記搭載機器登録手段により登録されたラックの使用に関する情報を登録する。使用ラック登録手段は、例えば本発明の実施形態で言えば、使用ラック登録画面５０に相当する。
【００１７】
このように構成することにより、ラックと、そのラックに搭載された医療機器とを容易に登録することができ、さらにそのラックに関する情報を登録することができる。
それでは、以下に本発明の実施形態の詳細を説明する。
【００１８】
図１は、本発明の実施形態における医療機器管理システムの全体構成を示す。ラック８には、各ラックを識別するための個体情報１が付与されている。個体情報１は、ＩＣタグ２に格納されていてもよいし、バーコード３であってもよい。
【００１９】
医療機器７は、例えば、内視鏡モニタ、電気メス装置、気腹装置、内視鏡用光源装置、内視鏡用カメラ装置、超音波観測装置等の機材である。医療機器７には、各医療機器を識別するための個体情報４が付与されている。個体情報４は、ＩＣタグ５に格納されていてもよいし、バーコード６であってもよい。
【００２０】
読取装置９は、個体情報１、個体情報４を読み取るための携帯端末である。
管理用パーソナルコンピュータ（以下、管理用ＰＣと称する）１０は、読取装置９より送信されたラック８の個体情報と、各ラック８に搭載された医療機器の個体情報とを関係付けて、医療機器管理データベース（以下、医療機器管理ＤＢという）１５に格納する。
【００２１】
図２は、本発明の実施形態における管理用ＰＣ１０のハードウェア構成を示す。管理用ＰＣ１０は、少なくとも中央演算装置（ＣＰＵ）１１、リードオンリーメモリー（ＲＯＭ）１２、ランダムアクセスメモリー（ＲＡＭ）１３、ハードディスクドライブ（ＨＤＤ）１４、ネットワークインターフェースカード（ＮＩＣ）１６、入力インターフェース（以下、入力Ｉ／Ｆという）１７、出力インターフェース（以下、出力Ｉ／Ｆという）１８、バス１９等を備えたコンピュータである。さらに、管理用ＰＣ１０は、入力Ｉ／Ｆ１７を介して入力装置２０と接続され、出力Ｉ／Ｆ１８を介して出力装置２１と接続されている。
【００２２】
ＨＤＤ１４またはＲＯＭ１２には、本発明の実施形態にかかるプログラムが格納されている。また、ＨＤＤ１４には、医療機器及びラックに関するデータベース（医療機器管理ＤＢ１５）が格納されている。医療機器管理ＤＢ１５には、例えば、医療機器テーブルＴ１（図３）、ラック−医療機器関連テーブルＴ２（図４）、使用ラック登録テーブルＴ３（図５）が格納されている。
【００２３】
また、入力装置２０には、キーボード、マウスなどを用いることが可能である。また、出力装置２１には、ディスプレイ、プリンタなどを用いることが可能である。
また、管理用ＰＣ１０は、ＮＩＣ１６を介して、例えば病院内のＬＡＮ（Ｌｏｃａｌ  Ａｒｅａ  Ｎｅｔｗｏｒｋ）に接続されている。なお、接続されるネットワークはＬＡＮに限らず、イントラネット、インターネット、ＬＡＮ、ＷＡＮ、専用線、有線、無線等の通信網に接続されていてもよい。
【００２４】
図３は、本発明の実施形態における医療機器テーブルＴ１を示す。医療機器テーブルＴ１は、「医療機器ＩＤ」、「医療機器名」のデータ項目から構成されている。医療機器ＩＤは、医療機器を識別するためのＩＤである。「医療機器名」は、「医療機器ＩＤ」に対応する医療機器の名称である。
【００２５】
図４は、本発明の実施形態におけるラック−医療機器関連テーブルＴ２を示す。ラック−医療機器関連テーブルＴ２は、「ラックＩＤ」、「医療機器ＩＤ」のデータ項目から構成されている。
【００２６】
図５は、本発明の実施形態における使用ラック登録テーブルＴ３を示す。使用ラック登録テーブルＴ３は、「ラックＩＤ」、「手術ＩＤ」、「コメント」のデータ項目から構成されている。
【００２７】
図６は、本発明の実施形態における読取装置９の内部構成を示す。読取装置９は、ＣＰＵ３１、ＲＯＭ３２、ＲＡＭ３３、記憶部３４、無線ＬＡＮカード３５、識別コードリーダ３６、操作入力部３７、及び表示部３８、バス３９から構成されている。
【００２８】
ＣＰＵ３１は読取装置９全体の動作制御を司る中央処理装置である。
ＲＯＭ３２は、ＣＰＵ３１によって実行される基本制御プログラムが予め格納されているメモリである。読取装置９の起動時にＣＰＵ３１がこの基本制御プログラムを実行することによって、読取装置９全体の動作の基本的な制御がＣＰＵ３１によって行なわれるようになる。
【００２９】
ＲＡＭ（Ｒａｎｄｏｍ  Ａｃｃｅｓｓ  Ｍｅｍｏｒｙ）３３は、記憶部３４に格納されている各種のアプリケーションプログラムをＣＰＵ３１が実行するときにワークメモリとして使用され、また各種のデータの一時的な格納領域として必要に応じて用いられるメインメモリとしても使用されるメモリである。
【００３０】
記憶部３４は、各種のアプリケーションプログラムやデータを記憶して保持しておくメモリであって、たとえば、フラッシュメモリやＨＤＤ、記憶メディア等である。
無線ＬＡＮカード３５は、病院内ＬＡＮ（Ｌｏｃａｌ  Ａｒｅａ  Ｎｅｔｗｏｒｋ）を介して管理用ＰＣ１０と通信するための通信インターフェースである。
【００３１】
識別コードリーダ３６は、個体情報１，４を読み取るためのものである。識別コードリーダ３６としては、例えば光学的に文字を読み込むことのできるＯＣＲ（Ｏｐｔｉｃａｌ  Ｃｈａｒａｃｔｅｒ  Ｒｅａｄｅｒ）を用いることができるが、文字や図形を画像として読み込む画像スキャナや、無線による通信で識別コードを読み込むことできるトランスポンダ等を用いてもよい。例えば、個体情報１，４がＩＣタグ２，５に格納されている場合、識別コードリーダ３６はＩＣタグリーダーである。また、個体情報１，４がバーコード３，６に設定されている場合、識別コードリーダ３６はバーコードリーダーである。
【００３２】
操作入力部３７は、例えば表示部３８に設けられているタッチパネル及び表示部３８の下方に設けられている入力キーである。操作入力部３７は、読取装置９のユーザによって操作され、この操作の内容を検出してＣＰＵ３１へその操作内容を伝達する。ＣＰＵ３１はその操作内容に対応しているユーザからの指示の内容を認識する。
【００３３】
表示部３８は例えば液晶ディスプレイであり、ＣＰＵ３１から送られてきた各種の情報を表示して視覚によりユーザに各種の情報を提供する。
上述した識別コードリーダ３６と、この操作入力部３７及び表示部３８とはＣＰＵ３１所定のアプリケーションプログラムが実行されることによって各種のデータの入出力が可能となる。
【００３４】
図７は、本発明の実施形態における搭載機器登録画面４０を示す。搭載機器登録画面４０は、読取装置９の表示部に表示される画面である。搭載機器登録画面４０は、「ラックＩＤ」登録欄４１、「搭載機器登録」一覧４２、「登録」ボタン４３、「閉じる」ボタン４４から構成される。
【００３５】
読取装置９の表示部３８に搭載機器登録画面４０を表示させた状態で、識別コードリーダ３６によりラック８の個体情報１を読み取ると、「ラックＩＤ」登録欄４１にその読み取ったラック８のラックＩＤが表示される。
【００３６】
「搭載機器登録」一覧４２には、ラックＩＤにより特定されるラック８に搭載する医療機器７を入力することができる。「搭載機器登録」一覧４２は、「医療機器名」、「医療機器ＩＤ」のデータ項目から構成される。「搭載機器登録」一覧４２の「医療機器ＩＤ」への入力には、読取装置９を使って医療機器７に付与されたＩＣタグ５またはバーコード６から個体情報４（医療機器ＩＤ）を読み取ることで入力できる。「搭載機器登録」一覧４２の「医療機器名」には、「医療機器ＩＤ」に対応する医療機器の名称を操作入力部３７を用いて入力することができる。
【００３７】
なお、管理用ＰＣ１０内の医療機器テーブルＴ１に「医療機器名」と「医療機器ＩＤ」とが予め登録してあれば、読取装置９により医療機器ＩＤを読み取ると、その医療機器ＩＤに対応する「医療機器名」が管理用ＰＣ１０より送信され、「搭載機器登録」一覧４２の「医療機器名」に表示される。
【００３８】
「登録」ボタン４３を押下すると、「ラックＩＤ」登録欄４１及び「搭載機器登録」一覧４２に入力された内容を、無線ＬＡＮカード３５を介して管理用ＰＣ１０のラック−医療機器関連テーブルＴ２に登録することができる。「閉じる」ボタン４４を押下すると、搭載機器登録画面４０を閉じることができる。
【００３９】
図８は、本発明の実施形態における使用ラック登録画面５０を示す。使用ラック登録画面５０は、読取装置９の表示部３８に表示される画面である。使用ラック登録画面５０は、「手術ＩＤ」選択欄５１、「ラックＩＤ」表示欄５２、「コメント」入力欄５３、「搭載医療機器」一覧５４、「登録」ボタン５５、「閉じる」ボタン５６から構成される。
【００４０】
「手術ＩＤ」選択欄５１の右端をクリックすると、手術を識別するためのＩＤのリストが表示されるので、そのリスト中から目的とする手術ＩＤを選択することができる。選択された手術ＩＤは「手術ＩＤ」選択欄５１に表示される。
【００４１】
「ラックＩＤ」表示欄５２には、ラック８に実際に付与されている個体情報１を読取装置９により読み取ることでそのラックＩＤが表示される。
「コメント」入力欄５３は、ラック８の使用に関して、操作入力部１７によりユーザが任意にコメントを入力することができる。
【００４２】
「搭載機器登録」一覧５４には、「ラックＩＤ」表示欄５２に表示されたラックが搭載している医療機器７の一覧が表示される。
「登録」ボタン５５を押下すると、「手術ＩＤ」選択欄５１、「ラックＩＤ」表示欄５２、及び「コメント」入力欄５３に入力された内容を、無線ＬＡＮカード３５を介して管理用ＰＣ１０の使用ラック登録テーブルＴ３に登録することができる。「閉じる」ボタン５６を押下すると、使用ラック登録画面５０を閉じることができる。
【００４３】
次に、本発明の実施形態における医療機器管理システムの全体の処理の流れを図１〜８を参照しながら説明する。
個々の医療機器７には予め医療機器ＩＤが設定されたバーコード６またはＩＣタグ５が付与されている。また、医療機器ＩＤは、医療機器名と共に管理用ＰＣ１０の医療機器管理ＤＢの医療機器テーブルＴ１に予め登録されている（図３参照）。
【００４４】
ラック導入時には、ラック８のラックＩＤが設定されたバーコードまたはＩＣタグをラック８に付与する。そして、読取装置９の表示部３８に搭載機器登録画面４０（図７）を表示させて、読取装置９によりラック８のラックＩＤを読み取る。
【００４５】
次に、ラック８に搭載された医療機器の医療機器ＩＤを順次読取装置９にて読み取ると、「搭載機器登録」一覧４２に入力される。その後、「登録」ボタン４３を押下すると、ラック８のラックＩＤと、「搭載機器登録」一覧４２の内容が管理用ＰＣ１０に送信され、ラック−医療機器関連テーブルＴ２に登録される（図４）。
【００４６】
手術で使用するラック８を予約する場合には、読取装置９の表示部３８に使用ラック登録画面５０を表示させる。使用ラック登録画面５０において、「手術ＩＤ」選択欄３１にて手術ＩＤを選択した後、読取装置９にて使用するラックＩＤを読み取る。すると、その読み取ったラックＩＤに基づいて、そのラックに搭載されている医療機器７が「搭載医療機器」一覧５４に表示される。その後、「登録」ボタン５５を押下すると、手術ＩＤとラックＩＤ及びコメントとが管理用ＰＣ１０に送信され、使用ラック登録テーブルＴ３に登録される（図５）。
【００４７】
図５の使用ラック登録テーブルＴ３において、手術ＩＤとラックＩＤとを関係付けた情報が履歴情報として格納されている。よって、使用ラック登録テーブルＴ３について、ラックＩＤをキーに集計することで、各ラックの使用頻度を算出することができる。さらに、ラック−医療機器関連テーブルＴ２を組み合わせることで、医療機器７の使用頻度も算出することができる。
【００４８】
本実施の形態によれば、ラック、さらには医療機器の使用回数を把握することができる。そのため、特定のラックだけに負荷が集中する一方で、全く使われないラックがあるという使用状況の偏りを調整することができる。それによって使用の集中による機器の故障の発生を抑えることができる。また、使用状況を把握することで、必要な機器の数を今以上に正確に見積もることができるため、余分な機器の購入を防止することができる。
【図面の簡単な説明】
【００４９】
【図１】本発明の実施形態における医療機器管理システムの全体構成を示す。
【図２】本発明の実施形態における管理用ＰＣ１０のハードウェア構成を示す。
【図３】本発明の実施形態における医療機器テーブルＴ１を示す。
【図４】本発明の実施形態におけるラック−医療機器関連テーブルＴ２を示す。
【図５】本発明の実施形態における使用ラック登録テーブルＴ３を示す。
【図６】本発明の実施形態における読取装置９の内部構成を示す。
【図７】本発明の実施形態における搭載機器登録画面４０を示す。
【図８】本発明の実施形態における使用ラック登録画面５０を示す。
【符号の説明】
【００５０】
１，４      個体情報
２，５      ＩＣタグ
３，６      バーコード
７      医療機器
８      ラック
９      読取装置
１０    管理用ＰＣ
１１    ＣＰＵ
１２    ＲＯＭ
１３    ＲＡＭ
１４    ＨＤＤ
１５    医療機器管理ＤＢ
１６    ＮＩＣ
１７    入力Ｉ／Ｆ
１８    出力Ｉ／Ｆ
１９    バス
２０    入力装置
２１    出力装置
３１    ＣＰＵ
３２    ＲＯＭ
３３    ＲＡＭ
３４    記憶部
３５    無線ＬＡＮカード
３６    識別コードリーダ
３７    操作入力部
３８    表示部
３９    バス
【図２】
2009077968.tif 000003
【図３】
2009077968.tif 000004
【図４】
2009077968.tif 000005
【図５】
2009077968.tif 000006
【図６】
2009077968.tif 000007
【図１】
2009077968.tif 000008
【図７】
2009077968.tif 000009
【図８】
2009077968.tif 000010